(57)【要約】【課題】表示器を備える携帯電子機器において、プラスチック製の外装ケースの表示用開口部近傍を効果的に補強する。【解決手段】表示器８が組み込まれる回路モジュールのフレーム６と、前記表示器８に対向する位置に表示用開口部５ａが形成されたプラスチック製の外装ケース５とを備える携帯電子機器において、フレーム６の表示器組込み部の近傍に、外装ケース５の開口部５ａ近傍の内面に沿って面状に当接するブリッジ部６ｂを一体に形成する。このブリッジ部６ｂは表示器８の一辺に沿って帯状に形成されている。表示器はＬＣＤ８であり、このＬＣＤ８のドライバー部８ｄがブリッジ部６ｂにより覆われている。【選択図】図２
2007012901.tif 000002
【特許請求の範囲】
【請求項１】
表示器が組み込まれる回路モジュールのフレームと、前記表示器に対向する位置に表示用開口部が形成されたプラスチック製の外装ケースとを備える携帯電子機器において、
前記フレームの表示器組込み部の近傍に、外装ケースの前記開口部近傍の内面に沿って面状に当接するブリッジ部を一体に形成したことを特徴とする携帯電子機器。
【請求項２】
前記ブリッジ部は前記表示器の一辺に沿って帯状に形成されていることを特徴とする請求項１に記載の携帯電子機器。
【請求項３】
前記表示器はＬＣＤであり、このＬＣＤのドライバー部が前記ブリッジ部により覆われていることを特徴とする請求項１または２に記載の携帯電子機器。
【発明の詳細な説明】
【技術分野】
【０００１】
本発明は、携帯電話機等の携帯電子機器に関する。
【背景技術】
【０００２】
携帯電話機等の携帯電子機器には、外装ケースをプラスチックで形成したものが多く、この種の携帯電子機器では、ケース内に収納されている電子部品を保護するために、外装ケースの内面（裏面）等に補強用のリブを設けて外装ケースの変形を防止するようにしたものがある（例えば特許文献１参照）。
すなわち、特許文献１には、その図面中の符号も併記すれば、液晶表示素子の封入孔９（液晶注入孔）を封止する封止部３を保護するために、フロントケース１０の裏面に、先端部が回路基板１７に当接するリブ１０ａを設ける構成（段落００５９及び図１、図４参照）や、液晶表示素子用ホルダー２３の縁部に、先端部がフロントケース１０の裏面に当接するリブ２３ｂを設ける構成（段落００６０及び図１、図３参照）が開示されている。
【特許文献１】特開２００１−１１１６５９号公報
【発明の開示】
【発明が解決しようとする課題】
【０００３】
しかし、特許文献１のように、液晶表示素子用ホルダー２３に設けたリブ２３ｂをフロントケース１０に当接させる構造では、フロントケース１０の内面に対し液晶表示素子用ホルダー２３に設けたリブ２３ｂが当接するだけであり、しかも、線状に当接する線接触のため、外装ケースの変形防止の面では未だ不十分なものであった。
【０００４】
本発明の課題は、表示器を備える携帯電子機器において、プラスチック製の外装ケースの表示用開口部の近傍を効果的に補強することである。
【課題を解決するための手段】
【０００５】
以上の課題を解決するため、請求項１に記載の発明は、例えば図２から図４に示すように、表示器８が組み込まれる回路モジュールのフレーム６と、前記表示器８に対向する位置に表示用開口部５ａが形成されたプラスチック製の外装ケース５とを備える携帯電子機器において、前記フレーム６の表示器組込み部の近傍に、外装ケース５の前記開口部５ａ近傍の内面に沿って面状に当接するブリッジ部６ｂを一体に形成したことを特徴とする。
【０００６】
請求項１に記載の発明によれば、フレームの表示器組込み部の近傍に一体に形成したブリッジ部が、外装ケースの開口部近傍の内面に沿って面状に当接するので、プラスチック製の外装ケースの表示用開口部近傍が、その内面に沿ったブリッジ部による面接触によって効果的に補強される。
【０００７】
請求項２に記載の発明は、請求項１に記載の携帯電子機器であって、例えば図２から図４に示すように、前記ブリッジ部６ｂは前記表示器８の一辺に沿って帯状に形成されていることを特徴とする。
【０００８】
請求項２に記載の発明によれば、帯状のブリッジ部によって外装ケースの表示器の一辺に沿った部分が補強される。
【０００９】
請求項３に記載の発明は、請求項１または２に記載の携帯電子機器であって、例えば図２から図５に示すように、前記表示器はＬＣＤ８であり、このＬＣＤ８のドライバー部８ｄが前記ブリッジ部６ｂにより覆われていることを特徴とする。
【００１０】
請求項３に記載の発明によれば、ブリッジ部によってＬＣＤのドライバー部が保護される。
【発明の効果】
【００１１】
本発明によれば、プラスチック製の外装ケースの表示用開口部近傍を、その内面に沿って面状に当接する、表示器が組み込まれる中ケースのブリッジ部による面接触によって効果的に補強できる。
【発明を実施するための最良の形態】
【００１２】
以下、図を参照して本発明を実施するための最良の形態を詳細に説明する。
図１は、本発明を適用した携帯電子機器の一実施形態としての折畳み式携帯電話機を筐体を折畳んで閉じた状態で示したもので、１は操作側筐体、２はヒンジ部、３は表示側筐体である。
【００１３】
図２は、表示側筐体１の拡大平面図（ａ）とその矢印Ｂ−Ｂ線及び矢印Ｃ−Ｃ線に沿った断面図（ｂ）（ｃ）とを示したもので、表示側筐体３は、外装ケースをなす下ケース４及び上ケース５と中ケース６を合体して構成されている。
下ケース４及び上ケース５はプラスチック製で、これら下ケース４と上ケース５との間に挟まれる中ケース６は金属製で表示側ユニットの回路モジュールのフレームである。この中ケース６には、図２（ｂ）、図２（ｃ）及び図３に示すように、メイン表示器（ＬＣＤ）７、サブ表示器（ＬＣＤ）８、カメラユニット１１等が組み込まれ、さらに、照明用ライト（ＬＥＤ）１２等を搭載した表示側ユニットの回路基板１３が組み付けられてモジュール化されている。
【００１４】
下ケース４には、メイン表示器であるメインＬＣＤ７が対向位置する領域に開口部４ａが形成されており、この開口部４ａに透明樹脂板４ｂが設けられている。
上ケース５には、サブ表示器であるサブＬＣＤ８が対向位置する領域に開口部５ａが形成されており、この開口部５ａに透明樹脂板５ｂが設けられている。実施形態において、開口部５ａは、図１及び図２（ａ）に示したように円形となっている。
【００１５】
中ケース６には、図３に示したように、一面側にサブＬＣＤ８が樹脂製ホルダ９を介して組み込まれるとともに、他面にメインＬＣＤ７とカメラユニット１１が組み込まれている。なお、カメラユニット１１のレンズ部は、中ケース６のカメラユニット組込み部（収納部）の底面に形成されている開口部（図４参照）においてサブＬＣＤ８が組み込まれている一面側に露出している。
照明用ライトである照明用ＬＥＤ１２等を搭載した表示側ユニットの回路基板１３は、中ケース６のサブＬＣＤ８を備える面側に重ねられ、かつサブＬＣＤ８及びカメラユニット１１を囲む形状とされている。照明用ＬＥＤ１２はカメラユニット１１の横に位置する。
【００１６】
そして、中ケース6に重ねられた回路基板１３には、その一側方において、メインＬＣＤ７に接続されたフィルム配線基板１４がその先端に備えるコネクタ部１５によりコネクタ接続されるとともに、カメラユニット１１に接続されたフィルム配線基板１６がその先端に備えるコネクタ部１７によりコネクタ接続される。
さらに、回路基板１３には、図４に示すように、一端部において、サブＬＣＤ８に接続された幅広と幅狭の二枚のフィルム配線基板１８がその先端にそれぞれ備えるコネクタ部１９によりコネクタ接続されている。なお、図４においては、メインＬＣＤ７及びカメラユニット１１は取り外されている。
以上の回路基板１３は、図３に示すように、フィルム配線基板１８を折り曲げて中ケース７上に重ねられる。
【００１７】
ここで、サブＬＣＤ８とフィルム配線基板１８との接続部の構成について説明する。本実施例のサブＬＣＤ８は、図５に示すように、サブＬＣＤ８を構成する一対のガラス基板の内の一方のガラス基板の一辺部上にＬＣＤドライバー部８ｄが搭載されており、この一辺部においてフィルム配線基板１８がＬＣＤドライバー部８ｄに接続されている。
ＬＣＤドライバー部８ｄ及びＬＣＤドライバー部８ｄとフィルム配線基板１８との接続部は、図示のようにモールド樹脂８ｍによりモールディングされている。
【００１８】
以上において、中ケース６には、図２から図４に示したように、サブＬＣＤ８の収納部の周囲に沿って樹脂製ホルダ９の外側に位置するリブ６ａが一体に形成されている。リブ６ａは、樹脂製ホルダ９とほぼ同一の高さで、カメラユニット１１の収納部側とは反対側の一辺部を除いた三辺部に形成されている。
そして、中ケース６のサブＬＣＤ８の収納部周囲でリブ６ａが存在しない一辺部には、その一辺部に沿ってブリッジ部６ｂが一体に形成されている。ブリッジ部６ｂは、図示のように、両側がリブ６ａに連続し、かつリブ６ａより高くてある程度の幅を有する帯状に形成されている。このブリッジ６ｂは、上ケース５のサブＬＣＤ８が対向位置する開口部５ａの近傍の内面に沿って面状に当接する若干湾曲形状をなしている。
また、ブリッジ部６ｂの下方には、前記ＬＣＤドライバー部８ｄ及びモールド樹脂８ｍが位置するとともに前記二枚のフィルム配線基板１８を通す空間が形成されている。
【００１９】
なお、樹脂製ホルダ９には、二枚のフィルム配線基板１８を通す切欠（不図示）が形成されている。
また、回路基板１３は、図３に示すように、中ケース６のブリッジ部６ｂ及びサブＬＣＤ８を囲む開口部を有している。
【００２０】
以上の回路基板１３を中ケース６に重ねた状態（図３参照）で、図２（ｂ）及び（ｃ）に示すように、下ケース４と上ケース５との間に挟んだ状態にし、４隅をねじ止めすることにより表示側筐体３が合体される。
その結果、図示したように、金属製の中ケース６のサブＬＣＤ８の一辺部に沿った一体成形によるブリッジ部６ｂが、上ケース５のサブＬＣＤ８が対向位置する開口部５ａの近傍の内面に沿って面状に当接した状態となる。
【００２１】
従って、プラスチック製の上ケース５のサブＬＣＤ８が対向位置する開口部５ａの近傍が、その内面に沿った金属製のブリッジ部６ｂによる面接触によって効果的に補強されたものとなる。
すなわち、上ケース５のサブＬＣＤ８の一辺に沿った部分がその内面に面接触する帯状のブリッジ部６ｂによって補強されたものとなっているため、上ケース５の変形防止性能に優れたものとなる。
しかも、ブリッジ部６ｂによってＬＣＤドライバー部８ｄやＬＣＤドライバー部８ｄとフィルム配線基板１８との接続部を保護できるといった利点も併せて得られる。
【００２２】
なお、以上の実施形態においては、携帯電子機器として携帯電話機としたが、本発明はこれに限定されるものではなく、ノート型パーソナルコンピュータ、ＰＤＡ（Personal Digital Assistance）等の携帯情報端末、その他の携帯電子機器であっても良い。
また、回路モジュールのフレームを金属製としたが、剛性を有するものであれば良く、例えば硬質樹脂を用いて構成しても良い。また、ブリッジ部の形状等も任意であり、その他、具体的な細部構造等についても適宜に変更可能であることは勿論である。
【図面の簡単な説明】
【００２３】
【図１】本発明を適用した携帯電子機器の一実施形態の構成を示すもので、筐体を折畳んで閉じた状態での携帯電話機の外観例を示した斜視図である。
【図２】図１の表示側筐体の拡大平面図（ａ）と、その矢印Ｂ−Ｂ線及び矢印Ｃ−Ｃ線に沿った断面図（ｂ）（ｃ）である。
【図３】図２の表示側筐体の回路モジュールを示した斜視図である。
【図４】図３の回路モジュールの回路基板を開いた状態を示した斜視図である。
【図５】図４のサブＬＣＤとフィルム配線基板の接続部を示した縦断面図である。
【符号の説明】
【００２４】
５  外装ケース
５ａ  開口部
６  中ケース（フレーム）
６ａ  リブ
６ｄ  ブリッジ部
８  サブ表示器（ＬＣＤ）
８ｄ  ドライバー部
【図１】
2007012901.tif 000003
【図２】
2007012901.tif 000004
【図３】
2007012901.tif 000005
【図４】
2007012901.tif 000006
【図５】
2007012901.tif 000007